(57)【特許請求の範囲】
【請求項１】
ＲＦタグと通信を行うＲＦタグ通信部と、情報を表示する表示部と、情報を入力する入力部と、情報を記憶する記憶部とを備え、せりに出品される出品物の詳細情報を記載した出品票を登録するための装置であって、
前記出品物に貼付された第１のＲＦタグから前記ＲＦタグ通信部を介して前記出品物の受付番号を取得し、出品票データに登録する受付番号登録部と、
前記出品物に貼付された第２のＲＦタグから前記ＲＦタグ通信部を介して前記出品物の基本情報を取得し、前記出品票データに登録する基本情報登録部と、
前記出品物の部位ごとに添付された第３のＲＦタグから前記ＲＦタグ通信部を介して当該部位に関する部位情報を取得し、前記部位情報のうち前記出品票データに登録すべきものを前記出品票データに登録するとともに、前記部位情報に基づいて当該部位に対して入力すべき検査・評価項目を決定して当該検査・評価項目へ検査・評価値を入力させる入力フォームを前記表示部に表示し、前記入力フォームを介して前記入力部から入力された前記検査・評価項目ごとの前記検査・評価値を、前記部位情報と関連付けて前記出品票データに登録する検査・評価登録部と、
登録が完了した前記出品票データを前記記憶部に記憶させる出品票データ登録完了部と、
を備える出品票登録装置。
【請求項２】
画像を撮像する撮像部をさらに備え、
前記検査・評価登録部は、前記入力フォームとともに、当該入力フォームに対応する前記部位の画像データの登録を促すユーザインタフェースを前記表示部に表示し、当該ユーザインタフェースを介して前記撮像部にて撮像された前記画像データを、前記部位情報と関連付けて前記出品票データにまたは前記出品票データとともに登録する、請求項１に記載の出品票登録装置。
【請求項３】
音声を録音する録音部をさらに備え、
前記検査・評価登録部は、前記入力フォームとともに、当該入力フォームに対応する前記部位の検査・評価の音声データでの登録を促すユーザインタフェースを前記表示部に表示し、当該ユーザインタフェースを介して前記録音部にて録音された前記音声データを、前記部位情報と関連付けて前記出品票データにまたは前記出品票データとともに登録する、請求項１または２に記載の出品票登録装置。
【請求項４】
音声を録音する録音部をさらに備え、
前記検査・評価登録部は、前記入力フォームとともに、当該入力フォームに対応する前記部位の検査・評価の音声データでの登録を促すユーザインタフェースを前記表示部に表示し、当該ユーザインタフェースを介して前記録音部にて録音された前記音声データに対して音声認識処理を実行し、当該音声認識処理の結果得られたテキストデータによる検査・評価値を、前記部位情報と関連付けて前記出品票データに登録する、請求項１ないし３のいずれかに記載の出品票登録装置。
【請求項５】
前記出品票データへの前記検査・評価値の登録が完了した前記部位または未だ完了していない前記部位に関する情報を前記表示部に表示する登録確認部をさらに備える、請求項１ないし４のいずれかに記載の出品票登録装置。
【請求項６】
前記検査・評価登録部は、前記検査・評価項目へ入力すべき検査・評価値を複数の選択肢の中から選択させる前記入力フォームを前記表示部に表示する、請求項１ないし５のいずれかに記載の出品票登録装置。
【請求項７】
前記表示部および前記入力部としてタッチパネル表示装置を搭載したタブレット端末装置である、請求項１ないし６のいずれかに記載の出品票登録装置。
【請求項８】
ネットワークと通信するネットワーク通信部をさらに備え、前記出品票データ登録完了部はさらに、登録が完了した前記出品票データを、前記ネットワーク通信部を介して、せり業務を行うサーバ装置に送信する、請求項１ないし７のいずれかに記載の出品票登録装置。
【請求項９】
可搬記録媒体を駆動する可搬記録媒体駆動装置をさらに備え、前記出品票データ登録完了部はさらに、登録が完了した前記出品票データを、前記可搬記録媒体駆動装置を介して当該可搬記録媒体駆動装置により駆動される前記可搬記録媒体に書き出す、請求項１ないし８のいずれかに記載の出品票登録装置。
【請求項１０】
ＲＦタグと通信を行うＲＦタグ通信部と、情報を表示する表示部と、情報を入力する入力部と、情報を記憶する記憶部とを備える装置に、せりに出品される出品物の詳細情報を記載した出品票を登録するための方法であって、
前記出品物に貼付された第１のＲＦタグから前記ＲＦタグ通信部を介して前記出品物の受付番号を取得し、出品票データに登録し、
前記出品物に貼付された第２のＲＦタグから前記ＲＦタグ通信部を介して前記出品物の基本情報を取得し、前記出品票データに登録し、
前記出品物の部位ごとに添付された第３のＲＦタグから前記ＲＦタグ通信部を介して当該部位に関する部位情報を取得し、
前記部位情報のうち前記出品票データに登録すべきものを前記出品票データに登録するとともに、
前記部位情報に基づいて当該部位に対して入力すべき検査・評価項目を決定して当該検査・評価項目へ検査・評価値を入力させる入力フォームを前記表示部に表示し、
前記入力フォームを介して前記入力部から入力された前記検査・評価項目ごとの前記検査・評価値を、前記部位情報と関連付けて前記出品票データに登録し、
当該登録が完了した前記出品票データを前記記憶部に記憶させる、出品票登録方法。
【発明の詳細な説明】
【技術分野】
【０００１】
本発明は、せりに用いられる出品票データを登録するための出品票登録装置および方法に関する。
【背景技術】
【０００２】
中古車のせり業界では、せりの前に出品する車を担当者（検査員）が検査/評価する。その検査結果・評価点を参考に、せり会場の来場者は欲しい車を決定する。
【０００３】
検査/評価方法としては、従来、検査員が車輌情報・車輌状態をチェックし、専用用紙（出品票）に手書きで記入していた。出品票に記入する内容は、車の基本情報（メーカ名・年式・車名・グレード・色等）、車の状態（傷や破損の有無等）、車のオプション（カーナビゲーション・レザーシート有無等）等となる。
【０００４】
中古車のせり会場のなかには、非常に多くの出品物が出品されるところがあり、１日に数百〜数千台の中古車をせりにかけるのが一般的である。そのように多くの出品物（中古車）をせりにかける必要から、せりシステムの導入と併せて、従来多くのせり会場が手書きで記入していた出品票を、例えばタブレット端末を使用してデジタル入力する方法が検討されている。その場合に想定される利用方法としては、次のような方法である。タブレット端末に出品票を表示し、車の基本情報、車の状態、車のオプション等を選択項目より選択する。項目に無ければキーボードにて入力し、登録する。登録された情報は、その後の事務作業の効率化・外部への情報公開の迅速化につながる。
【０００５】
出品票等の紙のフォームをデジタル化することは、現在広く行われている（例えば特許文献１に記載の技術）。
【先行技術文献】
【特許文献】
【０００６】
【特許文献１】特開２００３−１９６４３３号公報
【発明の概要】
【発明が解決しようとする課題】
【０００７】
しかし、出品票入力フォームを単純にデジタル化しただけでは、次のような課題がある。まず、検査員はデジタル入力を苦手とする人が多いため、入力操作に時間がかかってしまう。また、検査員は、手袋・軍手をした状態では、デジタル入力がしづらい。
【０００８】
特に、車輌の出品票データは、１台の車輌に対して入力する項目が非常に多く、例えばタブレット端末装置の表示画面に一度では表示できないため、検査員は、現場で表示される入力フォームをめくってゆかなければならず、紙で入力していた場合に比較して、かえって大きな負担になってしまう。
【０００９】
さらに、車種によっては、出品票データのフォーマットが異なる場合があり、その場合にもタブレット端末装置上で車種を選択する煩雑な操作が必要になってしまう。
【００１０】
そこで、本発明の１つの側面では、車輌等の複雑な出品票データの入力を端末装置を用いて簡単に行えるようにすることを目的とする。
【課題を解決するための手段】
【００１１】
態様の一例では、ＲＦタグと通信を行うＲＦタグ通信部と、情報を表示する表示部と、情報を入力する入力部と、情報を記憶する記憶部とを備え、せりに出品される出品物の詳細情報を記載した出品票を登録するための装置であって、出品物に貼付された第１のＲＦタグからＲＦタグ通信部を介して出品物の受付番号を取得し、出品票データに登録する受付番号登録部と、出品物に貼付された第２のＲＦタグからＲＦタグ通信部を介して出品物の基本情報を取得し、出品票データに登録する基本情報登録部と、出品物の部位ごとに添付された第３のＲＦタグからＲＦタグ通信部を介してその部位に関する部位情報を取得し、部位情報のうち出品票データに登録すべきものを出品票データに登録するとともに、部位情報に基づいてその部位に対して入力すべき検査・評価項目を決定してその検査・評価項目へ検査・評価値を入力させる入力フォームを表示部に表示し、入力フォームを介して入力部から入力された検査・評価項目ごとの検査・評価値を、部位情報と関連付けて出品票データに登録する検査・評価登録部と、登録が完了した出品票データを記憶部に記憶させる出品票データ登録完了部と、を備える。
【発明の効果】
【００１２】
車輌等の複雑な出品票データの入力を端末装置を用いて簡単に行うことが可能となる。
【図面の簡単な説明】
【００１３】
【図１】出品票データ登録装置の実施形態のブロック図である。
【図２】出品票データ登録装置の実施形態により登録された出品票データが活用されるせりシステムの構成例を示す図である。
【図３】出品票データ登録装置の実施形態のハードウェア構成例を示す図である。
【図４】出品票データ登録処理の例を示すフローチャートである。
【図５】出品票データ登録フォームの画面遷移例を示す図である。
【図６】出品票データ登録フォームと各処理との関係を示す図である。
【図７】出品票データの構成例を示す図である。
【図８】画像データの構成例を示す図である。
【発明を実施するための形態】
【００１４】
以下、本発明を実施するための形態について図面を参照しながら詳細に説明する。
図１は、出品票データ登録装置１００の実施形態のブロック図である。出品票データ登録装置１００は、出品票データ１１５の登録を支援する装置であり、例えばタブレット端末装置である。出品票データ登録装置１００は、ＲＦタグ通信部１０１、例えば液晶表示タッチパネル１０４によって構成される表示部１０２と入力部１０３、記憶部１０５、受付番号登録部１０６、基本情報登録部１０７、検査・評価登録部１０８、登録確認部１０９、および出品票データ登録完了部１１０を備える。また、出品票データ登録装置１００は、ネットワーク通信部１１１、可搬記録媒体駆動装置１１２、撮像部１１３、および録音部１１４をさらに備えてよい。出品票データの登録対象である出品物１２０は、例えば中古車輌であり、車輌の所定の位置に、出品の受付番号を記録した第１のＲＦ（Ｒａｄｉｏ  Ｆｒｅｑｕｅｎｃｙ）タグ１２１と車輌の基本情報を記録した第２のＲＦタグ１２２が貼付されている。また、車輌の部位ごとに、その部位の部位情報を記憶した第３のＲＦタグ１２３が貼付されている。これらのＲＦタグは、日本工業規格（ＪＩＳ）の規定に準拠する無線タグである。
【００１５】
ＲＦタグ通信部１０１は、出品物１２０に貼付された第１のＲＦタグ１２１、第２のＲＦタグ１２２、または第３のＲＦタグ１２３と通信を行う通信回路である。
【００１６】
表示部１０２は、出品票データの登録フォームや、その他、必要な情報が表示するための、例えば液晶ディスプレイである。入力部は、検査員が出品票データの登録フォームに検査・評価値を入力するための、例えば上記液晶ディスプレイと一体のタッチパネルである。
【００１７】
記憶部１０５は、例えば半導体記憶装置によって構成され、出品票データ登録処理プログラムや出品票データ等を記憶する不揮発性のディスク記憶装置と、プログラム実行時に作業用記憶領域として使用されるＲＡＭ（ランダムアクセスメモリ）と、出品票データ登録装置１００を動作させるための基本プログラムを記憶するＲＯＭ（リードオンリーメモリ）から構成される。
【００１８】
受付番号登録部１０６、基本情報登録部１０７、検査・評価登録部１０８、登録確認部１０９、出品票データ登録完了部１１０は、例えば出品票データ登録装置１００を構成するＣＰＵ（中央演算処理装置）が上記ディスク記憶装置に記憶された出品票データ登録処理プログラムを実行する動作として実現される各種機能である。
【００１９】
受付番号登録部１０６は、出品物１２０に貼付された第１のＲＦタグ１２１から、ＲＦタグ通信部１０１を介して、出品物１２０の受付番号を取得し、出品票データ１１５に登録する。
【００２０】
基本情報登録部１０７は、出品物１２０に貼付された第２のＲＦタグ１２２から、ＲＦタグ通信部１０１を介して、出品物１２０の基本情報を取得し、出品票データ１１５に登録する。
【００２１】
検査・評価登録部１０８は、出品物１２０の部位ごとに添付された第３のＲＦタグ１２３から、ＲＦタグ通信部１０１を介して、その部位に関する部位情報を取得し、部位情報のうち出品票データ１１５に登録すべきものを出品票データ１１５に登録するとともに、部位情報に基づいてその部位に対して入力すべき検査・評価項目を決定してその検査・評価項目へ検査・評価値を入力させる入力フォームを表示部１０２に表示する。例えば、検査・評価登録部１０８は、検査・評価項目へ入力すべき検査・評価値を複数の選択肢の中から選択させる入力フォームを表示部１０２に表示してよい。検査・評価登録部１０８は、検査員が入力フォームを介して入力部１０３から検査・評価項目ごとの検査・評価値を入力すると、その検査・評価項目ごとの検査・評価値を部位情報と関連付けて出品票データ１１５に登録する。
【００２２】
出品票データ登録完了部１１０は、登録が完了した出品票データ１１５を記憶部１０５内の例えばディスク記憶装置に記憶させる。
【００２３】
ここで、出品票データ登録装置１００は、撮像部１１３をさらに備えてよい。この撮像部１１３は例えば、タブレット端末に内蔵されているデジタルカメラ機構である。そして、検査・評価登録部１０８は、入力フォームとともに、その入力フォームに対応する部位の画像データの登録を促すユーザインタフェースを表示部に表示する。検査員がそのユーザインタフェースを介して撮像部１１３にて該当部位の写真を撮影すると、検査・評価登録部１０８は、撮像された画像データを、部位情報と関連付けて出品票データ１１５に登録する。または、検査・評価登録部１０８は、画像データを出品票データ１１５と関連付けて登録する。
【００２４】
また、出品票データ登録装置１００は、音声を録音する録音部１１４をさらに備えてよい。この録音部１１４は例えば、タブレット端末に内蔵されるマイクと録音回路である。検査・評価登録部１０８は、入力フォームとともに、その入力フォームに対応する部位の検査・評価の音声データでの登録を促すユーザインタフェースを表示部に表示する。検査員がそのユーザインタフェースを介して録音部１１４にて音声を録音すると、検査・評価登録部１０８は、録音された音声データを、部位情報と関連付けて出品票データ１１５に登録する。または、検査・評価登録部１０８は、音声データを出品票データ１１５と関連付けて登録する。
【００２５】
なお、検査・評価登録部１０８は、録音された音声データに対して音声認識処理を実行し、その音声認識処理の結果得られたテキストデータによる検査・評価値を、部位情報と関連付けて出品票データ１１５に登録するようにしてもよい。
【００２６】
出品票データ登録装置１００は、登録確認部１０９をさらに備えてよい。登録確認部１０９は、出品票データ１１５への検査・評価値の登録が完了した部位または未だ完了していない部位に関する情報を表示部１０２に表示する。
【００２７】
出品票データ登録装置１００は、例えばローカルエリアネットワーク（ＬＡＮ）１３０内の例えば無線アクセスポイント１３２と無線通信するネットワーク通信部１１１をさらに備えてよい。そして、出品票データ登録完了部１１０は、登録が完了した出品票データ１１５を記憶部１０５内の例えばディスク記憶装置に記憶させるとともに、その出品票データ１１５を、ネットワーク通信部１１１から例えば無線アクセスポイント１３２を介して、せり業務を行うサーバ装置１３１（後述する図２のせり業務サーバ２２３、映像サーバ装置２２４に対応する）に送信する。
【００２８】
出品票データ登録装置１００は、抜き挿し可能な可搬記録媒体１１０を駆動する可搬記録媒体駆動装置１１２をさらに備えてよい。そして、出品票データ登録完了部１１０は、登録が完了した出品票データ１１５を記憶部１０５内の例えばディスク記憶装置に記憶させるとともに、その出品票データ１１５を、可搬記録媒体駆動装置１１２を介してそれによって駆動される可搬記録媒体１４０に書き出す。
【００２９】
以上の構成を有する出品票データ登録装置１００において、受付番号登録部１０６、基本情報登録部１０７、および検査・評価登録部１０８は、それぞれＲＦタグ通信部１０１を介して、出品物１２０の第１のＲＦタグ１２１、第２のＲＦタグ１２２、および第３のＲＦタグ１２３から、受付番号情報、基本情報、および部位情報を自動的に取得して出品票データ１１５に登録することができる。よって、検査員は、これらの情報を出品票データ１１５に個別に入力する必要がなくなる。
【００３０】
また、検査・評価登録部１０８は、部位情報に基づいてその部位に対して入力すべき検査・評価項目を決定してその検査・評価項目へ検査・評価値を入力させる入力フォームを表示部１０２に表示する。よって、検査員は、出品物１２０の部位ごとに入力フォームのページをめくる操作をする必要がなくなる。また、出品物１２０の種別ごとに常に適切な検査・評価項目の入力フォームが表示される。さらに、それらの検査・評価項目値は、ほとんど例えばプルダウンメニューやチェックボックス等から選択するだけで入力することができる。さらに咥えて、検査員は、例えばタブレット端末装置に備えられているカメラや録音マイクを使って、例えば表示部１０２に表示されているアイコンをタップするだけで、部位の状況を示す写真を撮って出品票データ１１５と関連付けて記憶させたり、状況を音声で録音して出品票データ１１５と関連付けて記憶させたりすることができる。
【００３１】
このようにして、本実施形態では、車輌等の複雑な出品票データの入力を例えばタブレット端末装置を用いて簡単に行うことが可能となる。
【００３２】
図２は、図１の出品票データ登録装置１００の実施形態により登録された出品票データ１１５が活用されるせりシステム２００の構成例を示す図である。
【００３３】
このせりシステム２００は、例えば中古車（車輌）を出品物としてせりを行うものである。図１に表すように、このせりシステム２００は、せりを行うための基本情報を管理するせり業務システム２１０と、実際にせりを行うためのせり機システム２５０と、に大別され、せり業務システム２１０とせり機システム２５０はネットワーク２４０により接続されている。
【００３４】
せり業務システム２１０は、システム障害に備えた予備系を含む例えば２台のせり業務サーバ装置２２３、２台の映像サーバ装置２２４、業務端末装置２１１、会員管理端末装置２１２、出品票登録端末装置２１３、せり検索端末装置２１４、来場者登録端末装置２１５、発券端末装置２１６、及びそれらを接続するネットワーク２２０を備えている。ネットワーク２２０は、多数のハブ２２１、並びにハブ２２１間、ハブ２２１と各端末装置２１１〜２１６間、ハブ２２１と各サーバ装置２２３、２２４間を結ぶ通信線２２２を備えたものである。
【００３５】
業務端末装置２１１は、せりの運営スタッフが、各せりの状況確認や出品車輌の登録等を行うための端末である。
【００３６】
会員管理端末装置２１２は、せり会場でのせりに参加できる会員の登録、削除、登録情報の変更等を行うための端末である。
【００３７】
出品票登録端末装置２１３は、せりに出品される出品物（ここでは中古車）の詳細情報（車名、メーカ、色など）を記載した出品票データの登録に用いられる。図１で説明した出品票データ登録装置１００のタブレット端末装置が登録する出品票データ１１５も同じであり、出品票登録端末装置２１３と同様の機能を備える。
【００３８】
せり検索端末装置２１４は、実施されるせり情報の検索に用いられる。
来場者登録端末装置２１５は、せり会場に来場した会員を確認するための端末である。来場した会員か否かの確認には、例えば会員カード２６６等が用いられる。
【００３９】
発券端末装置２１６は、来場した会員へのサービスとして提供する食券等の印刷物の発券に用いられる。
【００４０】
２台のせり業務サーバ装置２２３は、会員に係わるデータ、せりに係わるデータ、出品票のデータ等の保存、業務の遂行等に用いられる。
【００４１】
２台の映像サーバ装置２２４は、出品票のデータ等の参加者に提供すべき映像データの保存に用いられる。
【００４２】
これらせり業務サーバ装置２２３、映像サーバ装置２２４がそれぞれ２台ずつ設置されているのは、一方を運用系、他方を予備系の冗長構成として、より高い安全性を実現するためである。また、より高い安全性を実現するために、ネットワーク２２０も２重化されている。
【００４３】
せり機システム２５０は、せり業務システム同様に予備系を含む２台のせり機サーバ装置２５１、せり人・調整人操作端末装置２５６、購買店端末装置２５９等の各端末装置の動作状況やログの確認等といったせり機システムにおける保守機能を有する運用ワークステーション２５２、連携ＰＣ（パーソナル・コンピュータ）２５３、２台の表示制御ＰＣ２５４、２５５、多数の購買店操作端末装置２５７および複数の座席車輌検索端末装置２５８からなる購買店端末装置２５９、せり状況表示モニター２６０、出品店表示モニター２６１、及び２台のせり機サーバ装置２５１と各端末装置２５３〜２５９間を接続するネットワーク２７０を備えている。ネットワーク２７０は、多数のハブ２７１、並びにハブ２７１間、ハブ２７１と各端末装置２１１〜２１６間、ハブ２７１と各サーバ装置２２３、２２４間を結ぶ通信線２７２を備えたものである。
【００４４】
２台のせり機サーバ装置２５１とそれぞれ２台のせり業務サーバ装置２２３及び映像サーバ装置２２４との間は、上記ネットワーク２４０により接続されている。このネットワーク２４０は、２台のハブ２４１、各ハブ２４１に接続された複数の通信線２４２により、２重化されている。また、ネットワーク２７０も、２台のハブ２７１、各ハブ２７１に接続された複数の通信線２７２により、２重化されている。
【００４５】
連携ＰＣ２５３は、せり会場以外の場所にいる会員のせりへの参加（応札、出品）を可能にするものである。その連携ＰＣ２５３により、会員は例えばインターネットを介してせりに参加することができる。
【００４６】
表示制御ＰＣ２５４は、接続されたせり状況表示モニター２６０に表示すべき画像の表示等を制御している。そのせり状況表示モニター２６０は、現在、行われているせりに出品された中古車の出品票、現在価格、等の情報が表示される大型の表示装置である。
【００４７】
表示制御ＰＣ２５５は、接続された出品店表示モニター２６１への画像の表示等を制御している。出品店表示モニター２６１は、出品者（出品店）に対して現在価格や応札状況が表示される大型の表示装置である。この表示制御ＰＣ２５５は、出品店端末装置として機能する。
【００４８】
せり人・調整人操作端末装置２５６は、ディスプレイに表示される調整人操作卓画面２６２を見ながら、せり人によるせりの進行などを可能とし、調整人によるせり中の価格の調整などを可能にする。
【００４９】
購買店操作端末装置２５７は、会員がせりに参加するためのものであり、せりの参加者用の座席に設置されている。購買店操作端末装置２５７は、会員カード２６６に記録された情報を読み取るカードリーダ、応札を行うための応札スイッチ（共に図示せず）を備えている。
【００５０】
座席車輌検索端末装置２５８は、ディスプレイに表示されるせり状況表示画面２６０、車輌検索画面２６４を見ながら、せりの参加者が、せりに出品された車輌（出品物）のなかで所望の車輌の検索や、せり会場のエージェントの代理参加を依頼する不在申し込みの申請等が行えるものであり、せりの参加者用の座席に設置されている。座席車輌検索端末装置２５８は、実際は例えばＰＣであり、車輌の検索や不在申し込みの申請等のために、表示装置、及びキーボードを搭載、或いは接続により備えている。また、購買店操作端末装置２５７と同様に、会員カード２６６に記録された情報を読み取るカードリーダを備えている。
【００５１】
上述の購買店操作端末装置２５７、座席車輌検索端末装置２５８、および一部の連携ＰＣ２５３は、会員が応札に参加することができる購買店端末装置２５９を構成する。
【００５２】
２台のせり機サーバ装置２５１は、せり人・調整人操作端末装置２５６からの指示に従い、せりの進行、提示する価格の更新、等を行う。また、購買店端末装置２５９を使用する会員の認証、それらを用いた応札の受け付けを行う。受け付けた応札数は、価格の変更、落札者の決定、等の判断用に、せり人・調整人操作端末装置２５６に通知する。
【００５３】
以上の構成を有するせりシステム２００において、図１の構成を有する出品票データ登録装置１００のタブレット端末装置は、図１で説明したようにして出品票データ１１５を効率的に登録することができ、その登録された出品票データ１１５を、図１のネットワーク通信部１１１を介して、図２のせり業務サーバ装置２２３、映像サーバ装置２２４に、無線接続で即座に送信することができる。
【００５４】
図３は、図１の出品票データ登録装置１００の主要な機能をソフトウェア処理として実現できるコンピュータのハードウェア構成の一例を示す図であり、例えばタブレット端末装置のハードウェア構成例である。
【００５５】
図３に示されるタブレット端末装置は、ＣＰＵ３０１、メモリ３０２、ＲＦタグ通信部３０３、撮像部３０４、録音部３０５、液晶表示タッチパネル３０６、記憶装置３０７、ＷｉＦｉ通信部３０８、および可搬記録媒体３１１を抜き挿し可能な可搬記録媒体駆動装置３０９を備え、これらがシステムバス３１０によって相互に接続された構成を有する。同図に示される構成は上記システムを実現できるコンピュータの一例であり、そのようなコンピュータはこの構成に限定されるものではない。
【００５６】
ＣＰＵ３０１は、当該タブレット端末装置全体の制御を行う。メモリ３０２は、図１の記憶部１０５の一部に対応し、プログラム実行時に作業用記憶領域として使用されるＲＡＭと、タブレット端末装置を動作させるための基本プログラムを記憶するＲＯＭとから構成される。記憶装置３０７は、出品票データ登録処理プログラムや出品票データ等を記憶する例えば不揮発性の半導体メモリで構成されるディスク記憶装置である。ＣＵＰ３０１は、記憶装置３０７からメモリ３０２に出品票データ登録処理プログラムを読み出して実行することにより、後述する出品票データ登録処理を実行する。
【００５７】
ＲＦタグ通信部３０３、撮像部３０４、録音部３０５、液晶表示タッチパネル３０６、および可搬記録媒体駆動装置３０９はそれぞれ、図１のＲＦタグ通信部１０１、撮像部１１３、録音部１１４、液晶表示タッチパネル１０４、および可搬記録媒体駆動装置１１２と同様のものである。
【００５８】
ＷｉＦｉ通信部３０８は、図１のネットワーク通信部１１１に対応し、図１の無線アクセスポイント１３２に対応する例えば図２のＷｉＦｉ無線アクセスポイント２８０との間の無線通信を制御する。
【００５９】
本実施形態による出品票データ登録装置１００は、後述する図４のフローチャートで例示される出品票データ登録機能を搭載したプログラムをＣＰＵ３０１が実行することで実現される。そのプログラムは、例えば記憶装置３０７や可搬記録媒体３１１に記録して配布してもよく、或いはＷｉＦｉ通信部３０８によりネットワークから取得できるようにしてもよい。
【００６０】
図４は、図３のハードウェア構成を有する出品票データ登録装置１００が実行する出品票データ登録処理の例を示すフローチャートであり、例えば検査員が液晶表示タッチパネル１０４上で本処理の起動アイコンをタップすることにより起動される。
【００６１】
まず、ＣＰＵ３０１は、液晶表示タッチパネル１０４にユーザＩＤとパスワードの登録するための認証フォームを表示させ、検査員がユーザＩＤとパスワードを液晶表示タッチパネル１０４上で入力すると、そのユーザ認証を行う（ステップＳ４０１）。
【００６２】
ＣＰＵ３０１は、ユーザ認証の結果がＯＫか否かを判定し（ステップＳ４０２）、ＯＫでない（判定がＮＯ）ならば、ユーザＩＤとパスワードの登録するための認証フォームを再度表示させる（ステップＳ４０１）。
【００６３】
ユーザ認証の結果がＯＫ（ステップＳ４０２の判定がＹＥＳ）になると、ＣＰＵ３０１は、受付番号登録処理を実行する（ステップＳ４０３）。この処理は、図１の受付番号登録部１０６の機能に対応する。ＣＰＵ３０１は、図１の出品物１２０に貼付された第１のＲＦタグ１２１から、ＲＦタグ通信部３０３を介して、出品物１２０の受付番号を取得し、メモリ３０２に記憶されている出品票データ１１５（図１）に登録する。
【００６４】
次に、ＣＰＵ３０１は、基本情報登録処理を実行する（ステップＳ４０４）。この処理は、図１の基本情報登録部１０７の機能に対応する。ＣＰＵ３０１は、図１の出品物１２０に貼付された第２のＲＦタグ１２２から、ＲＦタグ通信部３０３を介して、出品物１２０の基本情報を取得し、出品票データ１１５に登録する。出品物１２０が中古車の車輌である場合、基本情報は、車輌の年式、車名、グレード等である。なお、基本情報の一部として、カーナビゲーションやレザーシートの有無等の車輌のオプション情報が含まれてもよい。
【００６５】
次に、ＣＰＵ３０１は、検査・評価登録処理を実行する（ステップＳ４０５）。この処理は、図１の検査・評価登録部１０８の機能に対応する。ＣＰＵ３０１は、図１の出品物１２０の部位ごとに添付された第３のＲＦタグ１２３から、ＲＦタグ通信部３０３を介して、その部位に関する部位情報を取得し、部位情報のうち図１の出品票データ１１５に登録すべきものを出品票データ１１５に登録する。また、ＣＰＵ３０１は、部位情報に基づいてその部位に対して入力すべき検査・評価項目を決定してその検査・評価項目へ検査・評価値を入力させる入力フォーム（以下「出品票データ登録フォーム」と呼ぶ）を表示部１０２に表示する。検査・評価登録部１０８は、検査員が入力フォームを介して入力部１０３から検査・評価項目ごとの検査・評価値を入力すると、その検査・評価項目ごとの検査・評価値を部位情報と関連付けて出品票データ１１５に登録する。
【００６６】
このとき、ＣＰＵ３０１は、入力フォームとともに、その入力フォームに対応する部位の画像データの登録を促すアイコンを液晶表示タッチパネル１０４に表示する。検査員がそのアイコンにタッチして撮像部３０４にて該当部位の写真を撮影すると、ＣＰＵ３０１は、撮像された画像データを、出品票データ１１５と関連付けて登録する。また、ＣＰＵ３０１は、入力フォームとともに、その入力フォームに対応する部位の検査・評価の音声データでの登録を促すアイコンを液晶表示タッチパネル１０４に表示する。検査員がそのアイコンにタッチして録音部３０５にて音声を録音すると、ＣＰＵ３０１は、録音された音声データを、出品票データ１１５と関連付けて登録する。
【００６７】
次に、ＣＰＵ３０１は、登録確認処理を実行する（ステップＳ４０６）。この処理は、図１の登録確認部１０９の機能に対応する。ＣＰＵ３０１は、出品票データ１１５への全ての部位に関する検査・評価値の登録が完了したか否かを判定し（ステップＳ４０７）、未だ完了していない部位に関する情報を表示部１０２に表示する。そして、ステップＳ４０７の判定がＮＯならば、ＣＰＵ３０１は、制御をステップＳ４０５に戻して、他の部位に関する検査・評価値の入力を行わせる。
【００６８】
検査・評価が必要な部位に対応する検査・評価値の入力が完了しステップＳ４０７の判定がＹＥＳになると、ＣＰＵ３０１は、出品票データ登録完了処理を実行する（ステップＳ４０８）。この処理は、図１の出品票データ登録完了部１１０の機能に対応する。ＣＰＵ３０１は、登録が完了した出品票データ１１５を記憶装置３０７に記憶させる。これと同時に、ＣＰＵ３０１は、登録が完了した出品票データ１１５を、ＷｉＦｉ通信部３０８から例えば図２のＷｉＦＩアクセスポイント２８０を介して、せり業務サーバ装置２２３、映像サーバ装置２２４に送信する。あるいは、設定により、ＣＰＵ３０１は、登録が完了した出品票データ１１５を、可搬記録媒体駆動装置３０９を介してそれによって駆動される可搬記録媒体３１１に書き出すように動作してもよい。
【００６９】
その後、ＣＰＵ３０１は、液晶表示タッチパネル１０４に、他の車輌についても出品票データ１１５の登録を続行するか否かを問い合わせる表示を行う（ステップＳ４０９）。
【００７０】
検査員が、続行を選択してステップＳ４０９の判定がＹＥＳになると、ＣＰＵ３０１は、ステップＳ４０３の受付番号登録処理に戻る。
【００７１】
検査員が、続行を選択せずステップＳ４０９の判定がＮＯになると、ＣＰＵ３０１は、図４のフローチャートで例示される出品票データ登録処理を終了する。
【００７２】
図５は、出品票データ登録フォームの画面遷移例を示す図、図６は、出品票データ登録フォームと各処理との関係を示す図である。
【００７３】
検査員はまず、車輌の所定の位置に近づくことにより、図４のステップＳ４０３とＳ４０４が実行されて、車輌の受付番号と基本情報が、出品票データ１１５に自動登録される。図５（ａ）は、そのときに液晶表示タッチパネル１０４に表示される出品票データ登録フォームの全体画面である。このとき、図５（ａ）に示されるように、全体画面中の５０１の部分に、ステップＳ４０３で自動登録された受付番号（図中「受付Ｎｏ．」）と、ステップＳ４０４で自動登録された基本情報が表示される。また、全体画面中の５０２の部分に、車輌全体内で検査・評価値を入力すべき位置が表示される。
【００７４】
ここで、検査員が、図５（ａ）の「特記」ボタン５０３にタッチすると、基本情報にさらに検査員がテキストを追加登録できるように動作してよい。また、検査員が図５（ａ）の「登録」ボタン５０４にタッチすると図４のステップＳ４０６のこの車輌に対する出品票データ１１５の登録確認処理を実行するように動作してよい。さらに、検査員が図５（ａ）の「キャンセル」ボタン５０５にタッチするとこの車輌に対する出品票データ１１５の登録をキャンセルして図４のステップＳ４０９の処理に移行するように動作してよい。
【００７５】
次に、検査員が、例えば図６（ａ）の６０１で示される車輌の位置に移動し、該部位にタブレット端末を近づけると、例えば図６（ａ）の６０２の部分が、出品票データ登録フォームの全体画面中でこれから検査・評価値の登録が行われる部位として強調表示され、その後検査員の指示操作によりまたは一定時間経過後に自動的に、図６の６０３として示されるように、液晶表示タッチパネル１０４の表示が、図６（ｂ）の全体画面表示から、図６（ｃ）または図５（ｂ）の出品票データ登録フォームの検査・評価値入力画面表示に切り替わる。この画面においては、図５（ｂ）に示されるように、画面上部の位置５１０にその部位の名称が表示され、５１１の位置に、現在の部位に適した検査・評価項目が表示される。場合によっては、音声入力を促すアイコン５１２が表示される。また、検査員は、タブレット端末装置の不図示のカメラボタンをプッシュすると、その部位の写真を撮影することができ、図５（ｂ）に示されるように、その撮影結果が検査・評価値入力画面中の位置５１３に表示される。
【００７６】
ここで、検査員が、図５（ｂ）の「特記」ボタン５１４にタッチすると、その部位に関してさらに検査員がテキストを追加登録できるように動作してよい。また、検査員が図５（ｂ）の「登録」ボタン５１５にタッチするとその部位に対する検査・評価値の登録が完了し図４のステップＳ４０６の登録確認処理を実行するように動作してよい。また、検査員が図５（ｂ）の「キャンセル」ボタン５１６にタッチするとその部位に対する出品票データ１１５の登録をキャンセルして図４のステップＳ４０６の登録確認処理に移行するように動作してよい。
【００７７】
図７は、記憶装置３０７に記憶される図１の出品票データ１１５の構成例を示す図である。図７において、データ１から５として示される各縦の列は、車輌ごとの出品票データ１１５の一組を示している。行方向が出品票データ１１５の登録項目であり、Ｎｏ．１に出品番号（受付番号）が登録され、Ｎｏ．２からＮｏ．１６までにその車輌の基本情報またはオプション情報が登録され、Ｎｏ．１７からＮｏ．３６までに車輌の各部位ごとの検査・評価値が登録される。
【００７８】
図８は、出品票データ１１５とともに記憶装置３０７に記憶される各部位の画像データの構成例を示す図である。記憶装置３０７内の出品番号ごとに作成されるフォルダに、各部位のタグが付与されたＪＰＧ形式の画像ファイルが記憶される。
【符号の説明】
【００７９】
１００  出品票データ登録装置
１０１  ＲＦタグ通信部
１０２  表示部
１０３  入力部
１０４  液晶表示タッチパネル
１０５  記憶部
１０６  受付番号登録部
１０７  基本情報登録部
１０８  検査・評価登録部
１０９  登録確認部
１１０  出品票データ登録完了部
１１１  ネットワーク通信部
１１２  可搬記録媒体駆動装置
１１３  撮像部
１１４  録音部
１２０  出品物
１２１  第１のＲＦタグ
１２２  第２のＲＦタグ
１２３  第３のＲＦタグ
１３０  ローカルエリアネットワーク（ＬＡＮ）
１３１  サーバ装置
１３２  無線アクセスポイント
２００  せりシステム
２１０  せり業務システム
２５０  せり機システム
２２０、２４０、２７０  ネットワーク
２２３  せり業務サーバ装置
２２４  映像サーバ装置
２１１  業務端末装置
２１２  会員管理端末装置
２１３  出品票登録端末装置
２１４  せり検索端末装置
２１５  来場者登録端末装置
２１６  発券端末装置
２２１  ハブ
２２２、２７２  通信線
２５１  せり機サーバ装置
２５２  端末装置
２５３  連携ＰＣ（パーソナル・コンピュータ）
２５４、２５５  表示制御ＰＣ
２５６  せり人・調整人操作端末装置
２５７  多数の購買店操作端末装置
２５８  座席車両検索端末装置
２５９  購買店端末装置
２６０  せり状況表示モニター
２６１  出品店表示モニター
２６２  調整人操作卓画面
２６４  車輌検索画面
【図１】
0006307035.tif 000002
【図２】
0006307035.tif 000003
【図３】
0006307035.tif 000004
【図４】
0006307035.tif 000005
【図５】
0006307035.tif 000006
【図６】
0006307035.tif 000007
【図７】
0006307035.tif 000008
【図８】
0006307035.tif 000009